(57)【要約】      （修正有）【課題】筐体と天板とをネジを用いずに精度よく取り付け、かつ天板の歪みを防止する。【解決手段】略矩形状に形成された筐体４と、筐体４と材質が異なり、筐体の上面側に配設される略矩形状の天板６とを備え、筐体及び天板６の各長辺方向の略中間には、いずれか一方に設けられた第１の凸部４０と、いずれか他方に設けられた第１の凹部２０とからなり、第１の凸部４０の長辺方向の両側が第１の凹部２０に当接することにより、筐体と天板６との長辺方向の位置決めをする第１の位置決め手段が設けられている。【選択図】図４
2010199399.tif 000002
【特許請求の範囲】
【請求項１】
略矩形状に形成された筐体と、上記筐体と材質が異なり、上記筐体の上面側に配設される略矩形状の天板とを備え、
上記筐体及び上記天板の各長辺方向の略中間には、いずれか一方に設けられた第１の凸部と、いずれか他方に設けられた第１の凹部とを有し、上記第１の凸部が上記第１の凹部の上記長辺方向と略直交する短辺方向の一方側に突き当てられることにより、上記短辺方向の一方の位置決めをし、
上記筐体及び上記天板の上記長辺方向の両側には、いずれか一方に設けられた第２の凸部と、いずれか他方に設けられた第２の凹部とを有し、上記第２の凸部が上記第２の凹部の上記短辺方向の他方側に当接することにより、上記筐体と上記天板との上記短辺方向の他方の位置決めをする電子機器。
【請求項２】
上記第１の凸部の上記長辺方向の両側が上記第１の凹部に当接することにより、上記筐体と上記天板との上記長辺方向の位置決めをする請求項１記載の電子機器。
【請求項３】
上記天板は、長辺方向の両側に、下方に垂下する一対のリブが設けられ、
上記リブは、上記第２の凸部又は上記第２の凹部が設けられるとともに、長辺方向に可撓性を有し、
上記筐体は長辺方向の両側面に上記第２の凹部又は上記第２の凸部が設けられる請求項２記載の電子機器。
【請求項４】
上記リブは上記第２の凸部が設けられ、
上記第２の凸部は、温度変化による膨張又は縮小によって上記リブが撓んでも上記第２の凹部から外れない高さを有する請求項３記載の電子機器。
【請求項５】
上記リブは短辺方向へのスリットが形成され、該スリットの基端部を支点に撓まされる請求項３記載の電子機器。
【請求項６】
上記筐体の側面には、上記リブの可撓性を維持しつつ上記リブ及び上記側面を支持するフックが形成されたパネルが取り付けられる請求項３記載の電子機器。
【請求項７】
上記天板は、長辺方向の両側近傍に、上記筐体と係合することにより上下方向の移動を規制する規制手段が設けられている請求項１記載の電子機器。
【請求項８】
上記天板は、長辺方向の両側に、下方に垂下する一対のリブが設けられ、
上記規制手段は、上記一対のリブに一体に設けられている請求項７記載の電子機器。
【請求項９】
上記天板は、長辺方向の両側に、下方に垂下する一対のリブが設けられ、該一対のリブが上記筐体を短辺方向の一方側に向かってスライドすることにより所定位置で下方に落とし込まれることにより上記筐体と結合され、
上記筐体には、上記天板のスライドをガイドするガイド溝が形成されている請求項１記載の電子機器。
【請求項１０】
上記リブには、上記筐体の側面部と上記所定位置で下方に摺動するテーパ部が形成されている請求項９記載の電子機器。
【発明の詳細な説明】
【技術分野】
【０００１】
本発明は、略矩形状に形成された筐体と天板とが結合されることにより機器本体を構成する電子機器に関し、特に、筐体と天板とを歪みを生じさせることなく結合した電子機器に関する。
【背景技術】
【０００２】
従来より、ＣＤ、ＤＶＤ、ＢＤ等のディスク状記録媒体に対して記録及び／又は再生を行う記録再生装置や、据置型のゲーム機などでは、略矩形状に形成された筐体を有し、筐体上面に天板が係合されることにより機器本体が構成されるものが多く提供されている。これら筐体と天板との結合は、例えば天板にネジ孔が開口されたリブを複数設け、リブを筐体側面にネジ止めすることにより行っている。
【０００３】
また、近年の電子機器は、機器本体の外観の美麗さを高めるために、ユーザの視界に多く移る前面にアクリル板を貼着するとともに電光表示部を設け、また天面にも傷に強く光沢のあるコーティング加工を施している。このように、電子機器は、天面に特殊な加工を施すことからモールド成型品とし、機器本体は強度確保のため金属部品で形成するなど、両者を異なる材質で形成しネジ止めにより結合している。
【先行技術文献】
【特許文献】
【０００４】
【特許文献１】特開平５−１７４５５７号公報
【発明の概要】
【発明が解決しようとする課題】
【０００５】
しかし、筐体と天板とを複数のネジで結合させる工法は、部品点数及び組立工数が増加し、組立時間の増加や製造コストの上昇を招いてしまう。また、筐体と天板とに設計寸法との間の公差が生じた場合、ネジ止めにより強度の弱い天板側に歪みが発生するおそれがある。天板に歪みが生じると、例えば鏡面仕上げが施されていた場合に反射像が歪むことで天板の歪みが一見して露呈してしまい、かえって美観を損なう。
【０００６】
さらに、筐体と天板とは、材質の違いから温度変化による線膨張係数が異なる。したがって、例えば真夏の人のいない部屋の高温環境下に放置された状態から、冷房が入り急激に冷気にさらされたときや、反対に、真冬に急激に暖気にさらされたときなど、ネジ部に白化や破損が発生するおそれもある。さらに上級機種などでは、美麗さを保つために、ネジ部の白化や破損に至らない場合でも、線膨張係数の違いに基づくネジ部へのストレスから生じる天板の歪みも許されない。
【０００７】
そこで、本発明は、筐体と天板とを精度よく取り付けるとともに、ネジ止めを用いることなく天板の歪みを防止できる電子機器を提供することを目的とする。
【課題を解決するための手段】
【０００８】
上述した課題を解決するために、本発明に係る電子機器は、略矩形状に形成された筐体と、上記筐体と材質が異なり、上記筐体の上面側に配設される略矩形状の天板とを備え、上記筐体及び上記天板の各長辺方向の略中間には、いずれか一方に設けられた第１の凸部と、いずれか他方に設けられた第１の凹部とからなり、上記第１の凸部の上記長辺方向の両側が上記第１の凹部に当接することにより、上記筐体と上記天板との上記長辺方向の位置決めをする第１の位置決め手段が設けられている。
【発明の効果】
【０００９】
本発明によれば、筐体及び天板の長辺方向の略中間に、第１の凸部と、第１の凸部の長辺方向の両側に当接する第１の凹部とからなる第１の位置決め手段を設けているため、筐体と天板との材質の違いによる線膨張係数の違いによって長辺方向の両側に膨張や収縮が発生した場合にも、これら膨張や収縮による応力を抑制することなく、天板の歪みを防止することができる。
【図面の簡単な説明】
【００１０】
【図１】記録再生装置の外観斜視図である。
【図２】記録再生装置の分解斜視図である。
【図３】天板を裏側から示す斜視図である。
【図４】天板が結合されたシャーシの上面を裏側から示す斜視図である。
【図５】天板をシャーシに取り付ける工程を示す斜視図である。
【図６】天板とシャーシとの結合状態を上方から示す断面図である。
【図７】天板とシャーシとの結合状態を側方から示す側面図である。
【図８】天板とシャーシとの結合状態を上方から示す断面図である。
【図９】装置本体の内部を示す斜視図である。
【図１０】フロントパネル、ディスクドライブ装置及び扉開閉機構を示す分解斜視図である。
【図１１】フロントパネルを裏側から示す斜視図である。
【図１２】開閉扉とフロントパネルとの支持状態を示す斜視図である。
【図１３】開閉扉を裏側から示す斜視図である。
【図１４】支点軸を示す斜視図である。
【図１５】操作ボタンを示す平面図である。
【図１６】透明板とともに操作ボタンを挟持する開閉扉を示す断面図である。
【図１７】従来の操作ボタンを示す平面図である。
【図１８】従来の操作ボタンを用いた開閉扉を示す断面図である。
【図１９】開閉扉が装置本体前面の開放位置に回動された記録再生装置の断面図である。
【図２０】開閉扉が装置本体前面の閉塞位置に回動された記録再生装置の断面図である。
【発明を実施するための形態】
【００１１】
以下、本発明を光ディスクに対して記録及び／又は再生を行う記録再生装置に適用した場合を例に、図面を参照しながら詳細に説明する。なお、説明は以下の順序で行う。
１．装置本体
２．天板の取付方法
３．扉開閉機構
【００１２】
＜１．装置本体＞
本発明が適用される記録再生装置１は、ＣＤ、ＤＶＤ、ＢＤ等の光ディスクに対して記録及び／又は再生を行う記録再生装置であり、液晶テレビやＰＣ等のＡＶ機能を持つ電子機器やビデオカメラ、スピーカ等に接続されることにより、テレビ番組やビデオカメラに記録された映像等を光ディスクに記録し、あるいは光ディスクに記録された映像等を再生し、モニタやスピーカから出力する。記録再生装置１は、例えば図１及び図２に示すように、全体を略矩形箱状に形成された装置本体２を有し、装置本体２の長辺方向を幅方向とし、短辺方向を奥行き方向として設置される。また、記録再生装置１は、開閉扉１０が設けられた装置本体２の一側面がユーザに正対する前面２ａとされ、前面２ａに向かって右側が右側面２ｂ、前面２ａに向かって左側が左側面２ｃ、前面２ａと反対側の側面が背面２ｄとする。
【００１３】
また、装置本体２は、内部に光ディスクの記録及び／又は再生を行うディスクドライブ装置３やＣＰＵ、メモリ等の各種電子部品が実装された矩形箱状のシャーシ４を有する（図９参照）。装置本体２は、シャーシ４の前面側にフロントパネル５が取り付けられ、上面側に天板６が取り付けられ、右側面に右サイドパネル７が取り付けられ、左側面に左サイドパネル８が取り付けられることにより外装が構成されている。なお、後に詳述するように、フロントパネル５には、装置本体２の前面２ａを開閉する開閉扉１０が回動可能に支持されている扉開閉機構９が形成されている。
【００１４】
［シャーシ］
次いで、装置本体２を構成するシャーシ４について説明する。シャーシ４は、板金を打ち抜くとともに折り曲げ形成することにより略矩形箱状に形成された上下一対のケース１１，１２が突き合わせ結合されることにより形成される。図２に示すように、シャーシ４は、長辺方向の両側に、右サイドパネル７又は左サイドパネル８が取り付けられる右取付壁１５及び左取付壁１６が形成されている。右取付壁１５及び左取付壁１６には、それぞれ右サイドパネル７又は左サイドパネル８の係止爪が係止する係止孔１７が複数形成されている。
【００１５】
また、右取付壁１５及び左取付壁１６には、天板６に設けられたリブ３０，３１が係合する係合部１８が設けられている。係合部１８は、右取付壁１５及び左取付壁１６がそれぞれシャーシ４の内側に入り込むことによりリブ３０，３１が落とし込まれるとともに、外面側より係合される。この係合部１８は、リブ３０，３１に突設されたリブ爪３２，３３が係合する係合孔１９が形成され、リブ爪３２，３３が係合孔１９に係合することにより、シャーシ４と天板６との短辺方向前面側の位置決め及び天板６の上下方向への抜け止めを行う。係合孔１９は、リブ爪３２，３３よりも天板６の短辺方向に幅広に形成され、リブ爪３２，３３が係合することにより、前面２ａ側の一側縁にリブ爪３２，３３の各側面部３２ａ，３３ａが当接するとともに、背面２ｄ側の一側縁との間にクリアランスが形成されている。リブ爪３２，３３と係合孔１９との係合状態については、後に詳述する。
【００１６】
なお、係合部１８には、後述するサイドパネル７，８のフック４８が挿通するフック孔２８が開口されている。フック孔２８は、係合孔１９よりも背面２ｄ側に開口されている。
【００１７】
また、シャーシ４は、上面４ａの係合部１８近傍に、天板６のリブ３０，３１のスライドをガイドする一対のガイド溝２６，２６が形成されている。ガイド溝２６，２６は、絞り加工により形成され、前面２ａ側が広く、背面２ｄ側に向かって漸次、幅狭となる。また、ガイド溝２６，２６は、背面２ｄ側の端部が装置本体２の長辺方向の内側に入り込んだ取付壁１５，１６の各係合部１８に連続している。したがって、ガイド溝２６，２６は、天板６をシャーシ４の上面４ａに結合させる際に、前面２ａ側から背面２ｄ側に向かってリブ３０，３１をスライドさせると、リブ３０，３１を取付壁１５，１６に形成された係合部１８へ導くことができる。天板６は、ガイド溝２６，２６にガイドされることによりリブ３０，３１が係合部１８が設けられた位置で下方に落とし込まれ、リブ爪３２，３３が係合孔１９に係合する。
【００１８】
またシャーシ４は、天板６が取り付けられる上面４ａに、天板６に突設された第１、第２の位置決め凸部４０，４１と係合する第１，第２の位置決め孔２０，２１が形成されている。第１，第２の位置決め孔２０，２１は、シャーシ４の上面４ａの長辺方向の略中間に、短辺方向に離間して形成されている。第１，第２の位置決め孔２０，２１は、天板６に突設された第１，第２の位置決め凸部４０，４１と、装置本体２の長辺方向の両側及び短辺方向の背面側で当接することにより、シャーシ４と天板６との長辺方向の両側及び短辺方向の背面側の位置決めを行うものである。
【００１９】
各位置決め孔２０，２１は、装置本体２の前面２ａ側が開放され、長辺方向の両側及び短辺方向の背面側が閉じられた矩形凹部２２と、矩形凹部２２の開放端と連続され第１，第２の位置決め凸部４０，４１が挿脱するのに十分な幅に開口された開口部２３とを有する。矩形凹部２２は、第１，第２の位置決め凸部４０，４１と略同じ幅を有し、第１，第２の位置決め凸部４０，４１が係合することにより、第１，第２の位置決め凸部４０，４１の長辺方向の両側を挟持してシャーシ４に対する天板６の長辺方向の位置決めを行う。
【００２０】
また、装置本体２の前面２ａ側に設けられた第１の位置決め孔２０の矩形凹部２２は、第１の位置決め凸部４０が係合することにより、背面２ｄ側の側縁が第１の位置決め凸部４０に突き当てられシャーシ４に対する天板６の短辺方向の背面側の位置決めを行う。なお、装置本体２の背面２ｄ側に設けられた第２の位置決め孔２１の矩形凹部２２は、第１の位置決め孔２０の矩形凹部２２に比して短辺方向に若干長く形成され、第２の位置決め凸部４１が背面２ｄ側の側縁と当接することはない。
【００２１】
このような第１，第２の位置決め孔２０には、天板６が装置本体２の前面２ａ側から装着されることにより、天板６に突設された第１，第２の位置決め凸部４０，４１が開口部２３に挿入され、天板６が装置本体２の背面側にスライドされることにより矩形凹部２２に係合する。
【００２２】
なお、シャーシ４は、上面４ａに天板６に形成された係止片４２が係止する係止開口２５が複数形成されている。係止開口２５は、天板６がシャーシ４に装着されることにより、装置本体２の前面２ａ側から天板６に突設された係止片４２が係止される。これにより、装置本体２は、シャーシ４に対する天板６の抜け止めが図られる。
【００２３】
［天板］
次いで、シャーシ４の上面４ａに取り付けられる天板６について説明する。図２及び図３に示すように、天板６は、シャーシ４の上面と略同じサイズを有する平板状に形成され、シャーシ４と異なる材料、例えば合成樹脂を用いてモールド成型によって形成されている。天板６は、モールド成型された後、鏡面塗装等の加工が施されることにより、美麗な外観デザインを備えることができる。
【００２４】
天板６には、長辺方向の両側に、短辺方向の略中間に、シャーシ４の右取付壁１５及び左取付壁１６の各係合部１８と係合する右リブ３０及び左リブ３１が形成されている。右リブ３０は、シャーシ４の右取付壁１５側の側面に、係合孔１９に係合するリブ爪３２が突設されている。また、左リブ３１は、シャーシ４の左取付壁１６側の側面に、係合孔１９に係合するリブ爪３３が突設されている。各リブ爪３２，３３は、係合孔１９に係合することにより、シャーシ４と天板６との短辺方向前面側の位置決め及び天板６の上下方向への抜け止めを行うものである。各リブ爪３２，３３は、装置本体２の前面２ａ側に、短辺方向の前面側に略正対する側面部３２ａ，３３ａが形成され、装置本体２の背面２ｄ側に、短辺方向の背面側に摺動可能なテーパ面部３２ｂ，３３ｂが形成されている。
【００２５】
かかるリブ爪３２，３３は、天板６がシャーシ４に装置本体２の前面２ａ側から装着される際に、テーパ面部３２ｂ，３３ｂが取付壁１５，１６の各係合部１８を摺動して係合孔１９に挿通係合する。このとき、図４及び図６に示すように、リブ爪３２，３３は、係合孔１９に係合することにより、装置本体２の前面２ａ側に正対する側面部３２ａ，３３ａが係合孔１９の一側縁と当接する。また、リブ爪３２，３３は、天板６の上面側の端面が係合孔１９の他側縁と対峙する。したがって、天板６は、リブ爪３２，３３の側面部３２ａ，３３ａが係合孔１９の一側縁に当接することにより、シャーシ４と天板６との短辺方向前面側の位置決めが図られる。また、天板６は、リブ爪３２，３３の端面が係合孔１９の他側縁と対峙することにより、天板６の上下方向への抜け止めが図られる。
【００２６】
また、リブ爪３２，３３は、天板６がシャーシ４との線膨張係数の違いによる歪みが発生し、長辺方向の外側に撓んだ場合にも、係合孔１９から外れない程度の高さ、例えば１．４ｍｍに形成されている。
【００２７】
また、リブ３０，３１は、図３に示すように、天板６側の基端部近傍にスリット３５，３６が形成されている。スリット３５，３６は、リブ３０，３１を長辺方向の外側に撓ませる可撓性を付与するものである。天板６は、スリット３５，３６の基端部を支点に長辺方向の外側に撓まされることにより、リブ爪３２，３３が係合孔１９より外れ、シャーシ４より取り外すことが可能となる。
【００２８】
さらに、リブ３０，３１は、スリット３５，３６よりもさらに天板６側の基端部近傍に、装置本体２の背面２ｄ側から前面２ａ側にかけて切欠き部３７，３８が形成されている。図７に示すように、切欠き部３７，３８は、天板６がシャーシ４に取り付けられた際に、シャーシ４の係合部１８近傍の上面４ａに係止することにより、天板６の上下方向への抜け止めを図ることができる。
【００２９】
また、図３に示すように、リブ３０，３１は、立設方向の先端部にテーパ部３９が形成されている。テーパ部３９は、リブ３０，３１を係合部１８に係合させる際に、取付壁１５，１６を摺動するものである。リブ３０，３１は、テーパ部３９を取付壁１５，１６に摺動させながら降下することにより、リブ爪３２，３３を係合孔１９に挿通係合させることができる。したがって、天板６は、リブ３０，３１と係合部１８との係合をスムーズに行うことができる。
【００３０】
また、天板６は、裏面に、シャーシ４の上面４ａに形成された第１、第２の位置決め孔２０，２１に係合する第１、第２の位置決め凸部４０，４１が突設されている。第１、第２の位置決め凸部４０，４１は、円柱形状をなし、天板６の長辺方向の略中間に、短辺方向に離間して突設されている。図４に示すように、装置本体２の前面２ａ側に突設されている第１の位置決め凸部４０は、シャーシ４の前面側に設けられた第１の位置決め孔２０に係合する。また、装置本体２の背面２ｄ側に突設されている第２の位置決め凸部４１は、シャーシ４の背面側に設けられた第２の位置決め孔２１に係合する。
【００３１】
さらに、天板６は、裏面に、シャーシ４の上面４ａに形成された係止開口２５に係止する係止片４２が複数突設されている。係止片４２は、係止開口２５に対応して、天板６の全面に亘って形成されている。また、係止片４２は、天板６の裏面から立ち上がるとともに先端が装置本体２の背面２ｄ側に向かって張り出す略鉤状に形成されている。そして、係止片４２は、天板６がシャーシ４の上面４ａに、前面２ａ側から装着されると、図４に示すように、鉤状の先端部が係止開口２５よりシャーシ４内に挿通し、係止開口２５の側縁に係止する。これにより、係止片４２は、リブ３０，３１の切欠き部３７，３８とともに、天板６の上下方向への抜け止めを図ることができる。
【００３２】
なお、天板６は、装置本体２の前面２ａ側の側面に、長辺方向の両側に離間してイジェクトボタン４５と電源ボタン４６が形成されている。イジェクトボタン４５は、ディスクドライブ装置３のディスクトレイ９１を装置本体２外へスライドさせ、また装置本体２内へスライドさせるものであり、電源ボタン４６は、記録再生装置１の電源を投入あるいは切断するものである。
【００３３】
＜２．天板の取付方法＞
次いで、シャーシ４に対する天板６の取付けについて説明する。記録再生装置１は、上下ケース１１，１２が突き合わせ結合されてなるシャーシ４に、開閉扉１０を支持するフロントパネル５が取り付けられた後、天板６が取り付けられる。先ず、天板６は、図５（ａ）に示すように、シャーシ４の前面２ａ側からリブ３０，３１をシャーシ４の上面４ａに形成された一対のガイド溝２６，２６上をスライドさせる。ガイド溝２６，２６は、背面２ｄ側に向かって幅狭に形成されているため、天板６は、リブ３０，３１が確実に係合部１８までガイドされる。
【００３４】
係合部１８は、シャーシ４の右取付壁１５及び左取付壁１６が内側に入り込むことにより形成されているため、図５（ｂ）に示すように、リブ３０，３１は、ガイド溝２６，２６の背面２ｄ側の端部までスライドされると、下方に落とし込まれる。このとき、リブ３０，３１は、立設方向の先端部に形成されているテーパ部３９が係合部１８を摺動する。そして、リブ３０，３１は、スリット３５，３６によって長辺方向の外側に可撓性を有する。したがって、リブ３０，３１は、係合部１８への落とし込みをスムーズに行うことができる。
【００３５】
また、天板６は、リブ３０，３１の係合部１８への落とし込みにより、第１、第２の位置決め凸部４０，４１がシャーシ４の上面４ａに開口された第１、第２の位置決め孔２０，２１の各開口部２３内に挿通する。また、天板６は、係止片４２の鉤状の先端部がシャーシ４の上面４ａに開口された係止開口２５に挿通する。さらに、天板６は、リブ３０，３１が、係合部１８への落とし込みにより長辺方向の内側に向かって弾性復帰する応力によってリブ爪３２，３３が係合部１８を摺動しながら係合孔１９と同じ高さに降下される。
【００３６】
そして、図５（ｃ）に示すように、天板６は、背面２ｄ側にスライドされると、図５（ｄ）に示すように、リブ爪３２，３３が係合孔１９に係合する。このとき、リブ爪３２，３３は、背面２ｄ側にテーパ面部３２ｂ，３３ｂが形成されているため、天板６の背面２ｄ側へのスライドをスムーズに行うことができる。また、リブ爪３２，３３は、係合孔１９に係合することにより、図６に示すように、前面２ａ側に形成された側面部３２ａ，３３ａが係合孔１９の前面２ａ側の一側縁と当接し、シャーシ４に対する天板６の短辺方向の前面側の位置決めを行うとともに、天板６の短辺方向の前面側への移動を規制する。
【００３７】
また、天板６は、背面２ｄ側にスライドされると、第１、第２の位置決め凸部４０，４１が、第１、第２の位置決め孔２０，２１の矩形凹部２２に係合する。矩形凹部２２は、第１、第２の位置決め凸部４０，４１と長辺方向に略同じ幅を有するため、第１，第２の位置決め凸部４０，４１が係合することにより、第１，第２の位置決め凸部４０，４１の長辺方向の両側を挟持してシャーシ４に対する天板６の長辺方向の位置決めを行うとともに、天板６の長辺方向への移動を規制する。
【００３８】
また、第１の位置決め孔２０の矩形凹部２２は、第１の位置決め凸部４０が背面２ｄ側の側縁に突き当てられるため、シャーシ４に対する天板６の短辺方向の背面側の位置決めを行うとともに、天板６の短辺方向の背面側への移動を規制する。
【００３９】
ここで、天板６は、長辺方向の略中間において、第１の位置決め凸部４０が第１の位置決め孔２０の矩形凹部２２に係合することにより、第１の位置決め凸部４０の長辺方向の両側が矩形凹部２２に挟持され、長辺方向の位置決めが行われる。また、天板６は、リブ３０，３１に長辺方向への可撓性を有するとともにリブ爪３２，３３が長辺方向の外側から係合孔１９に係合している。したがって、装置本体２は、天板６とシャーシ４との材質の違いによる線膨張係数の違いに基づいて、線膨張係数の大きい天板６が膨張した場合にも、長辺方向の膨張を規制することがなく、ストレスを内在させることによる天板６の歪みを防止することができる。
【００４０】
すなわち、装置本体２は、急激な室温の変化等の設置環境の変化によって、天板６に膨張或いは収縮が発生しうる。膨張や収縮は、略矩形状の天板６においては、長辺方向の両側において現れやすいため、長辺方向の両側をシャーシ４の取付壁１５，１６にネジ止め等によって強固に取り付けた場合、膨張や収縮のストレスが開放されず、天板６の歪みとなって現れるほか、ネジ部に白化や破損が発生するおそれもある。そして、天板６の歪みは、鏡面加工が施された場合、反射像の歪みとして顕著に現れ、美麗さを大きく損なってしまう。
【００４１】
この点、装置本体２は、天板６の長辺方向の両側に形成したリブ３０，３１に長辺方向への可撓性を付与するとともに、リブ爪３２，３３を長辺方向の外側から係合孔１９に係合させているため、長辺方向の両側に膨張や収縮が発生した場合にも、ストレスを開放することができ、天板６に歪みが発生することがなく、また、ネジを用いていないためネジ部の白化や破損といった問題も生じない。また、装置本体２は、長辺方向の略中間において第１の位置決め凸部４０が第１の位置決め孔２０の矩形凹部２２に係合することによって長辺方向の位置規制が行われているため、設置環境の温度変化等による膨張や収縮による長辺方向の両側の変化量が均等となり、偏りをなくして美観を損なわないようにできるほか、長辺方向両側の変化量に応じて突出させるリブ爪３２，３３の係合孔１９からの突出高さを均等に按分させることができ、最小にすることができる。
【００４２】
また、天板６は、短辺方向の前面２ａ側において、第１の位置決め凸部４０が第１の位置決め孔２０の矩形凹部２２に係合することにより、第１の位置決め凸部４０の短辺方向の背面側が当接されるとともに、リブ爪３２，３３の側面部３２ａ，３３ａが係合孔１９の前面２ａ側の一側縁に当接することにより、短辺方向の位置決めが行われている。
【００４３】
第１の位置決め凹部２０による第１の位置決め凸部４０の短辺方向の背面側の規制位置と、係合孔１９の前面２ａ側の一側縁によるリブ爪３２，３３の側面部３２ａ，３３ａの短辺方向の前面側の規制位置は、短辺方向において近接されているため、温度変化等による膨張や収縮による両規制位置の短辺方向の位置変化は少ない。また、第１の位置決め凹部２０は、矩形凹部２２の背面２ｄ側の側縁が第１の位置決め凸部４０に突き当てられ、前面２ａ側が開口部２３によって開放されている。また、係合孔１９は、前面２ａ側の一側縁がリブ爪３２，３３の側面部３２ａ，３３ａに当接され、テーパ面部３２ｂ，３３ｂと背面２ｄ側の一側縁との間にクリアランスが設けられている。したがって、装置本体２は、天板６が膨張した場合にも、短辺方向の膨張を規制することなく、ストレスを抑制することによる天板６の歪みを防止することができる。
【００４４】
なお、装置本体２は、第２の位置決め凸部４１及び第２の位置決め孔２１を設けることなく、第１の位置決め凸部４０及び第１の位置決め孔２０で天板６とシャーシ４との位置規制を行うようにしてもよい。この場合、装置本体２は、天板６とシャーシ４とが、長辺方向の略中間において短辺方向の背面２ｄ側が位置決めされるとともに、長辺方向の両側において、短辺方向の前面２ａが位置決めされるため、確実に天板６の取付位置を規制することができる。さらに、この場合、装置本体２は、天板６とシャーシ４の間に設計寸法の誤差に基づく第２の位置決め凸部４１と第２の位置決め孔２１との位置ずれや、当該位置ずれによる天板６の歪み等の不都合も発生しない。
【００４５】
装置本体２は、図５（ｄ）に示すように、天板６が背面２ｄ側にスライドされ、リブ爪３２，３３が係合孔１９に係合すると、リブ爪３２，３３上側面が係合孔１９の上側縁に当接することにより、天板６の上方向への抜け止めが図られる。また、このとき装置本体２は、図７に示すように、天板６のリブ３０，３１に形成された切欠き部３７，３８がシャーシ４の上面４ａの端部に係止することにより、リブ爪３２，３３とともに、天板６の上方向への抜け止めが図られる。
【００４６】
天板６のシャーシ４への結合に続いて、右サイドパネル７及び左サイドパネル８が、シャーシ背面にネジ止めされることにより、それぞれ右取付壁１５及び左取付壁１６に取り付けられる。図１に示すように、右サイドパネル７及び左サイドパネル８は、シャーシ４の右取付壁１５又は左取付壁１６と略同じ大きさに形成された外装部品であり、取付壁１５，１６に取り付けられる内側面には、係止孔１７に係止する公知の係止爪が複数突設されている（図示せず）。右サイドパネル７及び左サイドパネル８は、係止爪が係止孔１７に挿通されることにより鉤状に折り曲げられた先端部が取付壁１５，１６に係止し、シャーシ４に取り付けられる。
【００４７】
また、右サイドパネル７及び左サイドパネル８は、取付壁１５，１６に取り付けられる内側面に、右取付壁１５又は左取付壁１６の係合部１８に開口されているフック孔２８に挿通するフック４８が突設されている。図８に示すように、フック４８は、フック孔２８を介してシャーシ４内に挿入するとともに、前面２ａ側に折れ曲がる鉤状の先端部を有し、係合部１８をシャーシ４の内側から支持する。
【００４８】
また、右サイドパネル７及び左サイドパネル８は、フック４８基端部近傍に、天板６のリブ３０，３１を支持する支持凸部４９が形成されている。図８に示すように、支持凸部４９は、右サイドパネル７及び左サイドパネル８が取付壁１５，１６に取り付けられると、リブ３０，３１を外側から支持する。
【００４９】
これらフック４８及び支持凸部４９は、天板６のリブ３０，３１の抜け止めを図るものであり、常時リブ３０，３１及び係合部１８と当接して強固に挟持するものではない。したがって、リブ３０，３１は、フック４８及び支持凸部４９に支持されたときも、長辺方向の外側への可撓性を失うことなく、膨張や収縮によるストレスを開放することができる。
【００５０】
なお、記録再生装置１は、天板６に第１の位置決め凸部４０及び第２の位置決め凸部４１を設け、シャーシ４に第１の位置決め孔２０及び第２の位置決め孔２１を設けたが、シャーシ４の上面４ａに第１の位置決め凸部及び第２の位置決め凸部を設け、天板６の裏面にこれら第１の位置決め凸部及び第２の位置決め凸部が係合する第１の位置決め凹部及び第２の位置決め凹部を形成するようにしてもよい。
【００５１】
また、記録再生装置１は、天板６を前面２ａ側からシャーシ４の上面４ａにスライドさせて装着したが、背面２ｄ側から前面２ａ側に向かってスライドさせて装着するようにしてもよい。この場合、第１、第２の位置決め孔２０，２１の矩形凹部２２及び開口部２３の向きが上記実施例と反対になり、ガイド溝２６の向きも反対となる。
【００５２】
また、記録再生装置１は、天板６のリブ３０，３１にリブ爪３２，３３を突設し、シャーシ４の取付壁１５，１６の係合部１８に係合孔１９を形成したが、反対に、天板６のリブ３０，３１に係合孔を設け、シャーシ４の取付壁１５，１６の係合部１８に係合孔に係合する凸部を設けるようにしてもよい。
【００５３】
また、記録再生装置１は、天板６のリブ３０，３１にスリット３５，３６を設けることにより可撓性を付与したが、リブの基端部を薄肉に形成することにより可撓性を付与してもよい。
【００５４】
＜３．扉開閉機構＞
［フロントパネル］
次いで、装置本体２の前面２ａを開閉させる扉開閉機構９について説明する。先ず、シャーシ４の前面２ａ側に取り付けられるとともに、扉開閉機構９が形成されるフロントパネル５について説明する。フロントパネル５は、図９乃至図１１に示すように、略矩形箱状をなし、長辺方向の長さ及び高さがシャーシ４の長辺方向の長さ及び高さと略同一とされている。フロントパネル５は、装置本体２の前面２ａを構成する主面部５ａに、ディスクドライブ装置３のディスクトレイ９１が挿通するトレイ挿通口５１と、操作状況やコンテンツ情報等を表示する表示部５２と、後述する押圧ボタン５５が退避されて臨まされるとともに操作ボタン８０が挿通する操作孔５３が形成されている。
【００５５】
トレイ挿通口５１は、フロントパネル５の主面部５ａの略中間に設けられ、ディスクトレイ９１が挿通するのに十分な大きさを備える。また、表示部５２は、主面部５ａの表面に保護フィルムや透明板等が貼着される。
【００５６】
操作孔５３は、例えば主面５ａの長辺方向の一端側に並列して形成され、それぞれ主面部５ａの表面から退避した位置に押圧ボタン５５の上面５５ａが臨まされている。また、操作孔５３は、ユーザの指が挿入不可能な大きさに形成され、外部から押圧ボタン５５を押圧操作できないようにされている。
【００５７】
フロントパネル５に設けられる扉開閉機構９は、フロントパネル５の主面部５ａを開放又は閉塞する開閉扉１０と、装置本体２の背面側に配設され、押圧ボタン５５によって押下され光ディスクに記録された情報信号の再生や再生の停止をおこなう操作スイッチ５６と、開閉扉１０に設けられ押圧ボタン５５を介して操作スイッチ５６を操作する操作ボタン８０とを有する。
【００５８】
扉開閉機構９は、押圧ボタン５５がフロントパネル５の裏面部５ｂに取り付けられ、さらにその背面側に操作スイッチ５６が配設されている（図１９及び図２０参照）。そして、扉開閉機構９は、開閉扉１０がフロントパネル５の主面部５ａに密接し装置本体２の前面２ａを閉塞する閉塞位置に回動された状態で、操作ボタン８０が押圧されることにより押圧ボタン５５を介して操作スイッチ５６が押圧操作される。また、扉開閉機構９は、開閉扉１０がフロントパネル５の主面部５ａから離間して装置本体２の前面２ａを開放する開放位置に回動されると、押圧ボタン５５を介しての操作スイッチ５６の操作が不可能となり、光ディスクの再生操作が禁止される。
【００５９】
［開閉扉］
開閉扉１０は、フロントパネル５の主面部５ａに回動自在に支持される。開閉扉１０は、装置本体２の前面２ａを閉塞することによりフロントパネル５に形成されたトレイ挿通口５１を閉塞するとともに、装置本体２内に塵埃等が侵入することを防止し、またディスクドライブ装置３の駆動音等が外部に漏れることを防止している。また、開閉扉１０は、装置本体２の前面２ａと同面の表面１０ａに透明板６０が貼着されている。
【００６０】
開閉扉１０は、フロントパネル５の主面部５ａと略同じ大きさの矩形板状に形成され、表示部５２に対応した表示窓６１と、操作孔５３に対応して操作ボタン８０の操作凸部８４が挿通する挿通孔６２とが形成されている（図１６参照）。また、開閉扉１０は、図１３に示すように、フロントパネル５の主面部５ａと対峙する裏面１０ｂに、回動支持片６３が形成され、表面１０ａに、操作ボタン８０が配設される凹面部６４が形成されている。
【００６１】
図１３に示すように、回動支持片６３は、開閉扉１０の下側縁に、長手方向に沿って複数、例えば長手方向の両側及び略中央に３箇所設けられている。各回動支持片６３は、フロントパネル５の主面部５ａの下部に開口された挿通開口部６７に挿通する軸受け孔６８と、開閉扉１０を前面２ａの閉塞方向へ回動付勢するコイルバネ６９の一端が係止されるバネ係止部７０とが形成されている。そして、図１２（ａ）（ｂ）に示すように、開閉扉１０は、回動支持片６３がフロントパネル５の挿通開口部６７に挿通すると、裏面部５ｂに形成された軸受け部７２と軸受け孔６８とが連続され、支点軸７３に軸支されることにより、回動自在に支持される。
【００６２】
支点軸７３は、図１４（ａ）（ｂ）に示すように、回動支持片６３の軸受け孔６８及びフロントパネル５の軸受け部７２に挿通する支軸７５と、フロントパネル５の裏面部５ｂにネジ止めされるネジ孔部７６とを有する。そして、支点軸７３は、回動支持片６３が挿通開口部６７に挿通すると、支軸７５を軸受け孔６８及び軸受け部７２に挿通させるとともに、ネジ孔部７６をフロントパネル５の裏面に形成されたネジ孔にネジ止めする。これにより、支点軸７３は、フロントパネル５の裏面部５ｂに固定されるとともに、支軸７５によって開閉扉１０をフロントパネル５の表面部５ａ側に回動自在に支持する。なお、図１４（ａ）は、右側面２ｂ側に用いられる支点軸７３を示し、図１４（ｂ）は、略中央及び左側面２ｃ側に用いられる支点軸７３を示す。
【００６３】
支点軸７３に支持された開閉扉１０は、さらに、回動支持片６３のバネ係止部７０に、コイルバネ６９の一端が係止される。コイルバネ６９は、他端がフロントパネル５の裏面部５ｂの下部に係止されており、常時、回動支持片６３を下方に付勢する。したがって、開閉扉１０は、コイルバネ６９の付勢力を受けて、常時、フロントパネル５の主面部５ａ、すなわち装置本体２の前面２ａを閉塞する方向へ回動付勢されている。
【００６４】
また、開閉扉１０は、裏面１０ｂにディスクトレイ９１に押圧されるとともにディスクトレイ９１が摺動するトレイ摺動片７１が形成されている。トレイ摺動片７１は、開閉扉１０の幅方向に離間して複数突設され、ディスクトレイ９１が装置本体２の内外に亘ってスライドされると、ディスクトレイ９１が摺動する。
【００６５】
かかる開閉扉１０は、ディスクドライブ装置３のディスクトレイ９１が装置本体２外へスライドされると、ディスクトレイ９１の前面に押圧されて、前面２ａの開放方向へ回動される。また、開閉扉１０は、ディスクトレイ９１が装置本体２内へスライドされると、コイルバネ６９の付勢力によって前面２ａの閉塞方向へ回動される。このように、記録再生装置１は、ディスクトレイ９１の装置本体２の内外に亘る挿排出に応じて、自動的に前面２ａの開放及び閉塞を行う。したがって、ディスクトレイ９１の排出に伴って前面２ａを開放する方向へ回動された後、ユーザが手動で前面２ａを閉塞させる必要がなく、良好な使用感が得られる。また、記録再生装置１は、コイルバネ６９によって開閉扉１０を回動復帰させているため、駆動モータ等を用いる構成に比して、部品点数及び組立工数の削減、省スペース化、静音化を図ることができる。
【００６６】
なお、コイルバネ６９は、回動支持片６３の全てに設ける必要はなく、バネ力に応じて、例えば開閉扉１０の両端に形成された２つの回動支持片６３に係止させ、中央の回動支持片６３には設けないことにしてもよい。コイルバネ６９の合力は、ディスクドライブ装置３のディスクトレイ９１を排出する力よりも弱く設定され、ディスクトレイ９１のスライド及び開閉扉１０の回動を阻害しない。
【００６７】
開閉扉１０の表面１０ａ側に形成された凹面部６４は、操作ボタン８０が配設される領域であり、透明板６０とともに操作ボタン８０を挟持している。凹面部６４は、開閉扉１０が前面２ａの閉塞位置へ回動されるとフロントパネル５の操作孔５３と連続する挿通孔６２が開口されている。
【００６８】
透明板６０は、例えばアクリル板が用いられ、前面２ａの閉塞時に前面側となる表面にはハーフミラーフィルム加工が施され、フロントパネル５の表示部５２を視認可能とされている。また、透明板６０は、開閉扉１０とともに挟持する操作ボタン８０を外方に臨ませるボタン窓７８が開口されている。そして、透明板６０は、開閉扉１０の表面１０ａに接着剤等により接着されることにより一体化される。このとき、透明板６０は、凹面部６４に配設された操作ボタン８０を開閉扉１０とともに挟持し、ボタン窓７８から操作ボタン８０のボタン部８１が外方に突出されている。
【００６９】
［操作ボタン］
次いで、開閉扉１０及び透明板６０に挟持される操作ボタン８０について説明する。図１５に示すように、操作ボタン８０は、ボタン部８１と、ボタン部を支持するボタンフレーム８２とを有し、ボタンフレーム８２に複数形成されたヒンジ部８３によってボタン部８１が押圧自在に支持されている。
【００７０】
図１０、図１５に示すように、ボタンフレーム８２は、凹面部６４の形状に応じた略矩形状に形成されている。ボタンフレーム８２には、２つのボタン部８１が支持され、一方が再生ボタン８１ａ、他方が停止ボタン８１ｂとされている。またボタンフレーム８２は、上述したように、開閉扉１０及び透明版６０によって挟持されることにより、凹面部６４内に保持される。このとき、操作ボタン８０は、凹面部６４に固定配置されておらず、ボタンフレーム８２が凹面部６４内に配設されるとともに、ボタン部８１が透明板６０のボタン窓７８に挿通されることにより支持されている。
【００７１】
各ボタン部８１は、周方向に亘って、ボタンフレーム８２に複数のヒンジ部８３を介して支持されている。したがって、ボタン部８１は、図１７に示す一つのヒンジ部８６により支持される場合に比して押下に必要な領域を最小に抑えることができる。すなわち、図１７に示すように、ボタン部８７を一つのヒンジで支持する場合、ボタン部８７は、当該ヒンジ部８６を支点に回動軌跡を描く。したがって、図１８に示すように、透明板８９は、ボタン押下時におけるボタン部８７との干渉を避けるためにボタン窓８８をボタン部８７の大きさに対して大きく開口させる必要があり、ボタン部８７とボタン窓８８との間に大きくクリアランスが形成され、外観デザインを損なう他、塵埃等が侵入し、堆積してしまう。
【００７２】
記録再生装置１では、ボタン部８１が周方向に亘って複数のヒンジ部８３によって支持されるため、ボタン押下時のボタン部８１は水平軌跡を描く。したがって、記録再生装置１の透明板６０は、ボタン押下時にボタン窓７８とボタン部８１とが干渉することがないため、図１６に示すように、ボタン窓７８をボタン部８１が挿通可能な最小限の大きさだけ開口させればよい。
【００７３】
また、操作ボタン８０は、ボタンフレーム８２が凹面部６４に固定配置されていないため、ボタン部８１がボタン窓７８に挿通することにより凹面部６４内における位置が決まる。したがって、透明板６０は、ボタンフレーム８２と凹面部６４との位置ずれマージンを考慮してボタン窓７８をボタン部８１に対して大きく形成する必要がなく、ボタン窓７８をボタン部８１が挿通可能な最小限の大きさだけ開口させればよい。
【００７４】
このため、記録再生装置１は、ボタン部８１とボタン窓７８とのクリアランスがほとんどなくなり、良質な外観デザインを奏する他、塵埃の侵入や付着を防止することができる。
【００７５】
また、ボタン部８１は、アクリル板などの透明材料を用いて円形に形成され、ボタン窓７８から外方に突出する前面部にはハーフミラー加工が施されている。またボタン部８１は、開閉扉１０の凹面部６４に配設されたとき、凹面部６４に設けられた挿通孔６２及びフロントパネル５の主面部５ａに設けられた操作孔５３を挿通する操作凸部８４が形成されている。
【００７６】
また、ボタン部８１の操作凸部８４は、図２０に示すように、開閉扉１０が前面２ａの閉塞位置に回動されている状態において、フロントパネル５の主面部５ａに形成された操作孔５３に挿入され、先端が押圧ボタン５５に当接している。したがって、操作ボタン８０は、ボタン部８１を押下することにより、直接押圧ボタン５５を押下することができ、二重押しによる違和感がなく、良好な操作感を奏することができる。
【００７７】
なお、操作ボタン８０は、装置本体２の押圧ボタン５５近傍にＬＥＤ等の公知の照光手段を設けるとともに押圧ボタン５５をアクリル等の透明材料により形成することにより、開閉扉１０が前面２ａを閉塞しているときに、ボタン部８１を点灯させるようにしてもよい。
【００７８】
［ディスクドライブ装置］
シャーシ４内に配設されているディスクドライブ装置３は、ＣＤ、ＤＶＤ、ＢＤ等の各種ディスク状記録媒体に対して情報信号の記録及び／又は再生を行うディスクドライブであり、ドライブ筐体９０と、ドライブ筐体９０の内外に亘ってスライドされるディスクトレイ９１とを備える。
【００７９】
図９に示すように、ドライブ筐体９０は、シャーシ４の下ケース１２に固定されている。ディスクトレイ９１は、ドライブ筐体９０より装置本体２の前面２ａ側にスライドし、フロントパネル５のトレイ挿通口５１を介して装置本体２の内外に亘って進退される。そして、ディスクドライブ装置３は、ドライブ筐体９０から水平方向に出し入れされるディスクトレイ９１にディスクを載置することで、ディスクトレイ９１が引き込まれた際にディスクがドライブ筐体９０内部のターンテーブルに自動的に装着される。
【００８０】
［扉開閉動作］
次いで、記録再生装置１のディスク挿排出工程に伴う開閉扉１０の開閉動作について説明する。記録再生装置１は、天板６に設けられたイジェクトボタン４５が押されると、ディスクドライブ装置３のディスクトレイ９１を装置本体２外へスライドさせる。
【００８１】
図１９に示すように、ディスクトレイ９１は、装置本体２外へ排出されるとき、装置本体２の前面２ａの閉塞位置に回動されている開閉扉１０を押圧し、コイルバネ６９の付勢力に抗して開閉扉１０を開放位置へ回動させる。そして、ディスクトレイ９１は、装置本体２外へ排出されている間、開閉扉１０の回動領域上に位置して回動を規制するとともに装置本体２の前面２ａを開放させている。
【００８２】
開閉扉１０が開放位置に回動されると、フロントパネル５は、操作孔５３より操作ボタン８０の操作凸部８４が退避し、操作孔５３が外方に露出する。しかし、フロントパネル５は、操作スイッチ５６を押圧する押圧ボタン５５が操作孔５３より主面部５ａの内側に退避されているため、外部からユーザが直接押圧ボタン５５を押圧して操作スイッチ５６を操作することができない。したがって、記録再生装置１は、ディスクトレイ９１が装置本体２外へ排出され、開閉扉１０が開放位置へ回動されている状態において、ユーザが装置本体２の前面２ａに設けられた再生ボタン８１ａを押下することによりディスクトレイ９１が装置本体２内に引き込まれるとともに開閉扉１０が閉塞位置へ回動し、再生ボタン８１ａを押下しているユーザの指を挟む事態を防止することができる。
【００８３】
また、記録再生装置１は、操作スイッチ５６を押圧する押圧ボタン５５が操作孔５３より内側に退避され、外部からユーザに視認されにくいため、ユーザに、操作孔５３内の押圧ボタン５５を押圧しようとの動機付けがなされない。さらに、記録再生装置１は、操作孔５３が一般ユーザの指が挿入不可能な大きさに形成されているため、操作孔５３上に触れる程度では押圧ボタン５５を押下できない。したがって、記録再生装置１は、開閉扉１０が開放位置に保持され、装置本体２の前面２ａが開放された状態での再生操作を防止することができ、開閉扉１０が自動的に閉塞位置へ回動されることにより、ユーザの指が挟まれる事態を防止することができる。
【００８４】
また、記録再生装置１は、装置本体２の前面２ａには、フロントパネル５の主面部５ａに設けられたトレイ挿通口５１、表示部５２及び押圧ボタン５５が内側に退避して設けられる操作孔５３が形成されているが、操作手段は一切設けられていない。すなわち、記録再生装置１は、開閉扉１０を開放位置に保持した状態では、装置本体２の前面２ａにユーザが触れることによる操作を想定した構成を備えておらず、リモコンを用いた操作や天板６に設けられたイジェクトボタン４５の押圧操作を想定している。したがって、記録再生装置１は、開閉扉１０が開放位置に回動されている状態で、ユーザが前面２ａに触れることがなく開閉扉１０によるユーザの指の挟み込みを防止することができる。
【００８５】
そして、ディスクトレイ９１は、ディスクが装着あるいは排出された後、イジェクトボタン４５の押圧、あるいはリモコンによるイジェクト指示又は再生指示がなされると、装置本体２内にスライドされ、開閉扉１０の回動領域から退避する。これにより、ディスクトレイ９１は、開閉扉１０の回動規制を解除し、コイルバネ６９の付勢力による装置本体２の前面２ａの閉塞位置への回動を可能とする。
【００８６】
このように、記録再生装置１は、天板６にイジェクトボタン４５及び電源ボタン４６が設けられ、開閉扉１０に再生ボタン８１ａ及び停止ボタン８１ｂとなる操作ボタン８０が設けられ、その他の操作手段が装置本体２に設けられておらず、これら基本操作を含めスロー再生や再生位置選択等の他の操作は基本的にリモコンによってなされることを想定している。したがって、記録再生装置１は、ディスクトレイ９１によって自動的に開閉扉１０を開放位置に回動させ、ディスクトレイ９１が装置本体２外へ排出された状態で、リモコンによって再生操作されることでディスクトレイ９１が引き込まれ、開閉扉１０を自動的に閉塞位置に回動させることができ、ユーザが手動で開閉扉１０を回動させる面倒がない。
【００８７】
また、記録再生装置１は、装置本体２の前面２ａが全幅に亘って開閉扉１０によって開閉される。したがって、記録再生装置１は、装置本体２の前面２ａが開閉扉１０と、開閉扉１０と同質のボード等によって分割されるものではなく、部品点数や製造工数の増加を招くことなく、また、分割線が前面に現れることなく外観デザインを損なうこともない。
【００８８】
図２０に示すように、ディスクトレイ９１がドライブ筐体９０内にスライドし、開閉扉１０が閉塞位置に回動されると、操作ボタン８０は、ボタン部８１の操作凸部８４が、フロントパネル５の操作孔５３内に挿通し、押圧ボタン５５の上面５５ａと当接する。これにより、記録再生装置１は、操作ボタン８０のボタン部８１を押下することにより、押圧ボタン５５を介して操作スイッチ５６を押圧操作することが可能となる。
【符号の説明】
【００８９】
１  記録再生装置、２  装置本体、３  ディスクドライブ装置、４  シャーシ、５  フロントパネル、６  天板、７，８  サイドパネル、９  扉開閉機構、１０  開閉扉、１５，１６  取付壁、１８  係合部、１９  係合孔、２０，２１  位置決め孔、２２  矩形凹部、２３  開口部、２５  係止開口、２６  ガイド溝、２８  フック孔、３０，３１  リブ、３２，３３  リブ爪、３５，３６  スリット、４０，４１  位置決め凸部、４５  イジェクトボタン、４６  電源ボタン、４８  フック、４９  支持凸部、５１  トレイ挿通口、５３  操作孔、５５  押圧ボタン、５６  操作スイッチ、６０  透明板、６２  挿通孔、６３  回動支持片、６４  凹面部、６７  挿通開口部、６８  軸受け孔、６９  コイルバネ、７３  支点軸、７８  ボタン窓、８０  操作ボタン、８１  ボタン部、８２  ボタンフレーム、８３  ヒンジ部、８４  操作凸部、９１  ディスクトレイ
【図１】
2010199399.tif 000003
【図２】
2010199399.tif 000004
【図３】
2010199399.tif 000005
【図４】
2010199399.tif 000006
【図５】
2010199399.tif 000007
【図６】
2010199399.tif 000008
【図７】
2010199399.tif 000009
【図８】
2010199399.tif 000010
【図９】
2010199399.tif 000011
【図１０】
2010199399.tif 000012
【図１１】
2010199399.tif 000013
【図１２】
2010199399.tif 000014
【図１３】
2010199399.tif 000015
【図１４】
2010199399.tif 000016
【図１５】
2010199399.tif 000017
【図１６】
2010199399.tif 000018
【図１７】
2010199399.tif 000019
【図１８】
2010199399.tif 000020
【図１９】
2010199399.tif 000021
【図２０】
2010199399.tif 000022